(57)【要約】【課題】  デジタルデータを記録するデータ記録媒体において、用途毎に複数のデータ記録媒体を入手しなくても済むようにして利便性を高める。【解決手段】  複数の用途のデジタルデータと、その用途毎に付加した識別情報ＵＩＤとを同一のデータ記録媒体に記録しておく。例えばプロモーション用データと本編用データ（正規版データ）を各々異なるＵＩＤで管理する音楽ＣＤをプロモーション用として配布する。前記プロモーション用データは無料で再生できるようにしておき（ステップＳ１）、ユーザが試して本編用データを購入したいと思えば、前記音楽ＣＤの配布元であるレコード会社が所有し或いは管理するサーバにアクセスし課金の手続きを行う（ステップＳ２、Ｓ３）。これにより、本編を管理しているＵＩＤが有効となり、そのＵＩＤをサーバで認証した後、フルデータを再生することができるようになる（ステップＳ４、Ｓ５）。【選択図】  図５
2005085336.tif 000002
【特許請求の範囲】
【請求項１】
デジタルデータが記録されるデータ記録媒体において、
複数の用途で使用されるデジタルデータに各々関連する複数の識別情報が予め記録されていることを特徴とするデータ記録媒体。
【請求項２】
前記複数の識別情報は、
第１の用途で使用されるデジタルデータに関連する第１の識別情報と、
第２の用途で使用されるデジタルデータに関連する第２の識別情報と
を有していることを特徴とする請求項１に記載のデータ記録媒体。
【請求項３】
前記第２の識別情報は、複数のコンテンツに基づくデジタルデータに各々関連する複数の識別情報を有していることを特徴とする請求項２に記載のデータ記録媒体。
【請求項４】
前記デジタルデータは、前記複数の識別情報毎に再生可能領域が限定されていることを特徴とする請求項１に記載のデータ記録媒体。
【請求項５】
前記第１の識別情報および第２の識別情報のうち、少なくとも第２の識別情報は暗号化され、外部から入力される、前記暗号を解く鍵に関するデータによって復号されることを特徴とする請求項２に記載のデータ記録媒体。
【請求項６】
前記第１の用途はプロモーション用であり、前記第２の用途は正規用であることを特徴とする請求項２に記載のデータ記録媒体。
【請求項７】
前記複数の識別情報は、前記デジタルデータが記録されるデータ記録領域および／またはその内周側に設けられるリードイン領域に記録されていることを特徴とする請求項１に記載のデータ記録媒体。
【請求項８】
前記複数の識別情報は、前記デジタルデータが記録されるデータ記録領域に記録されていることを特徴とする請求項１に記載のデータ記録媒体。
【請求項９】
前記データ記録媒体は、基板の一方の面に複数の記録層が積層されていることを特徴とする請求項１に記載のデータ記録媒体。
【請求項１０】
前記データ記録媒体は、２つの基板の各一方の面に設けられた記録層どうしを貼り合わせて構成されていることを特徴とする請求項１に記載のデータ記録媒体。
【請求項１１】
前記データ記録媒体は、２つの基板の各一方の面に各々設けられた記録層のうち、一方の基板の記録層と他方の基板とを貼り合わせて構成されていることを特徴とする請求項１に記載のデータ記録媒体。
【請求項１２】
前記データ記録媒体は、光ディスクであることを特徴とする請求項１に記載のデータ記録媒体。
【請求項１３】
データ記録媒体にデジタルデータを記録するデータ記録装置において、
異なる複数の用途で使用されるデジタルデータに各々関連する複数の識別情報を、データ記録媒体の製造時に記録することを特徴とするデータ記録装置。
【請求項１４】
前記複数の識別情報毎に、前記デジタルデータの再生可能領域を限定して記録することを特徴とする請求項１３に記載のデータ記録装置。
【請求項１５】
前記複数の識別情報のうち、少なくとも１つの識別情報を暗号化することを特徴とする請求項１３に記載のデータ記録装置。
【請求項１６】
前記複数の識別情報を、前記デジタルデータが記録されるデータ記録領域および／またはその内周側に設けられるリードイン領域に記録することを特徴とする請求項１３に記載のデータ記録装置。
【請求項１７】
前記複数の識別情報を、前記デジタルデータが記録されるデータ記録領域に記録することを特徴とする請求項１３に記載のデータ記録装置。
【請求項１８】
前記複数の識別情報を、基板の一方の面に複数の記録層が積層されたデータ記録媒体の、前記記録層に各々記録することを特徴とする請求項１３に記載のデータ記録装置。
【請求項１９】
前記複数の識別情報を、２つの基板の各一方の面に設けられた記録層どうしを貼り合わせて構成されたデータ記録媒体の、前記記録層に各々記録することを特徴とする請求項１３に記載のデータ記録装置。
【請求項２０】
前記複数の識別情報を、２つの基板の各一方の面に各々設けられた記録層のうち、一方の基板の記録層と他方の基板とを貼り合わせて構成されたデータ記録媒体の、前記記録層に各々記録することを特徴とする請求項１３に記載のデータ記録装置。
【請求項２１】
前記複数の識別情報を、光ディスクの記録層に記録することを特徴とする請求項１３に記載のデータ記録装置。
【請求項２２】
データ記録媒体にデジタルデータを記録するデータ記録方法において、
異なる複数の用途で使用されるデジタルデータに各々関連する複数の識別情報を、データ記録媒体の製造時に記録することを特徴とするデータ記録方法。
【請求項２３】
前記複数の識別情報毎に、前記デジタルデータの再生可能領域を限定して記録することを特徴とする請求項２２に記載のデータ記録方法。
【請求項２４】
前記複数の識別情報のうち、少なくとも１つの識別情報を暗号化することを特徴とする請求項２２に記載のデータ記録方法。
【請求項２５】
前記複数の識別情報を連続して記録することを特徴とする請求項２２に記載のデータ記録方法。
【請求項２６】
前記複数の識別情報を非連続で記録することを特徴とする請求項２２に記載のデータ記録方法。
【請求項２７】
前記複数の識別情報を、複数のデータ記録媒体を貼り合わせる前に、該複数のデータ記録媒体に各々記録することを特徴とする請求項２２に記載のデータ記録方法。
【請求項２８】
前記複数の識別情報を、複数のデータ記録媒体を貼り合わせた後に、該複数のデータ記録媒体に各々記録することを特徴とする請求項２２に記載のデータ記録方法。
【請求項２９】
第１の用途で使用されるデジタルデータおよびこれに関連する第１の識別情報と、暗号化され、第２の用途で使用されるデジタルデータおよびこれに関連する第２の識別情報とが記録された記録媒体を再生するデータ再生方法であって、
前記識別情報が記録されているか否かを判別し、
前記識別情報が記録されているときは該識別情報が第１の識別情報であるか第２の識別情報であるかを判別し、
第１の識別情報であると判別したときは、第１の識別情報に関連する前記デジタルデータを再生し、
第２の識別情報であると判別したときは、第２の識別情報に関連する前記デジタルデータを、外部から取得した前記デジタルデータの暗号を解く鍵に関するデータに基づいて復号化して再生する
ことを特徴とするデータ再生方法。
【請求項３０】
第１の用途で使用されるデジタルデータおよびこれに関連する第１の識別情報と、暗号化され、第２の用途で使用されるデジタルデータおよびこれに関連する第２の識別情報とが記録された記録媒体を再生する端末部と、
前記端末部と通信回線を介して接続され、前記記録媒体を管理するサーバ部とを備え、
前記サーバ部は、前記端末部から前記第１の識別情報が送信されたときにこれを識別し、該第１の識別情報が当該サーバ部が管理する識別情報であると識別されたときは、前記第２の識別情報に関連するデジタルデータを復号化するための手続きを許可する
ことを特徴とするデータ伝送装置。
【請求項３１】
前記サーバ部は、前記端末部から前記第２の識別情報に関連するデジタルデータの復号化要求があったとき、前記端末部に課金処理を促すことを特徴とする請求項３０に記載のデータ伝送装置。
【請求項３２】
前記サーバ部は、前記端末部によって課金処理が行われたとき、前記第２の識別情報に関連するデジタルデータの暗号を解く鍵に関連するデータを前記端末部に送信することを特徴とする請求項３１に記載のデータ伝送装置。
【請求項３３】
前記サーバ部は、前記第１の識別情報が当該サーバ部が管理する識別情報であると識別したときに、前記端末部に対して所定のサービスを提供することを特徴とする請求項３０に記載のデータ伝送装置。
【請求項３４】
前記サーバ部は、前記端末部によって課金処理が行われたとき、前記端末部に対して所定のサービスを提供することを特徴とする請求項３２に記載のデータ伝送装置。
【請求項３５】
前記サーバ部は、前記通信回線を介して第１の識別情報が入力された回数を集計することを特徴とする請求項３０に記載のデータ伝送装置。
【請求項３６】
前記サーバ部は、前記端末部によって課金処理が行われた回数を集計することを特徴とする請求項３２に記載のデータ伝送装置。
【発明の詳細な説明】
【技術分野】
【０００１】
本発明は、複数の用途で使用されるデータ毎に各々識別情報が記録されるデータ記録媒体、および前記識別情報を記録するデータ記録装置およびデータ記録方法、および前記データ記録媒体を再生するデータ再生方法、および前記識別情報を含むデータの授受を行うデータ伝送装置に関する。
【背景技術】
【０００２】
著作物データである楽曲などのオーディオデータをデジタルデータに変換して記録し、光学的な再生手段によってデータの読み出しを可能としたディスク状記録媒体として、コンパクトディスク（ＣＤ）が広く用いられている。
【０００３】
また、高画質の画像情報等をデジタルデータに変換して記録したデータ記録媒体としてＤＶＤ（Ｄｉｇｉｔａｌ  Ｖｅｒｓａｔｉｌｅ  Ｄｉｓｃ）が提供されている。
【０００４】
これらＣＤやＤＶＤには様々なコンテンツに基づくデジタルデータが記録されるが、その中身（内容）については、ユーザが例えばプロモーション用ＣＤを聴いたり、またテレビ、ラジオ、新聞、雑誌、インターネット等の広告媒体を通してその存在を認識する、等の方法で知ることができる。
【０００５】
尚、前記ＣＤ、ＤＶＤなどのデータ記録媒体は大量複製、大量配布が可能であり、１枚、１枚を識別するために、例えば下記特許文献１に開示されているように、一媒体毎に個別ＩＤ（Ｕｎｉｑｕｅ  ＩＤｅｎｔｉｆｉｃａｔｉｏｎ：以下ＵＩＤと称する）を予め記録しておくことが現在普及されつつある。
【特許文献１】特開２００２−３１９２４５号公報
【発明の開示】
【発明が解決しようとする課題】
【０００６】
しかしながら従来、例えば音楽のプロモーション用ディスク等においては、プロモーション用ディスクと、フルタイトルの入った正規ディスクが別々になっていたため、ユーザーは前者を試聴して気に入った場合でも、正規ディスクを購入するためには、店に買いに行く、ネットで注文する等しなければならず、手に入れるまでに時間がかかっていた。
【０００７】
また従来は、特許文献１のようにディスクを識別するためのＵＩＤを有するデータ記録媒体は存在したが、１枚のディスクに用途別に複数のＵＩＤを有するものはなかった。
【０００８】
本発明は上記の点に鑑みてなされたものでその目的は、複数の用途のデジタルデータと、その用途毎に付加した識別情報とを同一のデータ記録媒体に記録することによって、用途毎に複数のデータ記録媒体を入手しなくても済むようにして利便性を高めた、データ記録媒体、データ記録装置、データ記録方法、データ再生方法およびデータ伝送装置を提供することにある。
【課題を解決するための手段】
【０００９】
上記目的を達成するための本発明のデータ記録媒体は、デジタルデータが記録されるデータ記録媒体において、複数の用途で使用されるデジタルデータに各々関連する複数の識別情報が予め記録されていることを特徴としている。
【００１０】
また前記複数の識別情報は、第１の用途で使用されるデジタルデータに関連する第１の識別情報と、第２の用途で使用されるデジタルデータに関連する第２の識別情報とを有していることを特徴としている。
【００１１】
また前記第２の識別情報は、複数のコンテンツに基づくデジタルデータに各々関連する複数の識別情報を有していることを特徴としている。
【００１２】
また前記デジタルデータは、前記複数の識別情報毎に再生可能領域が限定されていることを特徴としている。
【００１３】
また前記第１の識別情報および第２の識別情報のうち、少なくとも第２の識別情報は暗号化され、外部から入力される、前記暗号を解く鍵に関するデータによって復号されることを特徴としている。
【００１４】
また前記第１の用途はプロモーション用であり、前記第２の用途は正規用であることを特徴としている。
【００１５】
また前記複数の識別情報は、前記デジタルデータが記録されるデータ記録領域の内周側に設けられるリードイン領域に記録されていることを特徴としている。
【００１６】
また前記複数の識別情報は、前記デジタルデータが記録されるデータ記録領域に記録されていることを特徴としている。
【００１７】
また前記データ記録媒体は、基板の一方の面に複数の記録層が積層されていることを特徴としている。
【００１８】
また前記データ記録媒体は、２つの基板の各一方の面に設けられた記録層どうしを貼り合わせて構成されていることを特徴としている。
【００１９】
また前記データ記録媒体は、２つの基板の各一方の面に各々設けられた記録層のうち、一方の基板の記録層と他方の基板とを貼り合わせて構成されていることを特徴としている。
【００２０】
また前記データ記録媒体は、光ディスクであることを特徴としている。
【００２１】
また、本発明のデータ記録装置は、データ記録媒体にデジタルデータを記録するデータ記録装置において、異なる複数の用途で使用されるデジタルデータに各々関連する複数の識別情報を、データ記録媒体の製造時に記録することを特徴としている。
【００２２】
また前記複数の識別情報毎に、前記デジタルデータの再生可能領域を限定して記録することを特徴としている。
【００２３】
また前記複数の識別情報のうち、少なくとも１つの識別情報を暗号化することを特徴としている。
【００２４】
また前記複数の識別情報を、前記デジタルデータが記録されるデータ記録領域の内周側に設けられるリードイン領域に記録することを特徴としている。
【００２５】
また前記複数の識別情報を、前記デジタルデータが記録されるデータ記録領域に記録することを特徴としている。
【００２６】
また前記複数の識別情報を、基板の一方の面に複数の記録層が積層されたデータ記録媒体の、前記記録層に各々記録することを特徴としている。
【００２７】
また前記複数の識別情報を、２つの基板の各一方の面に設けられた記録層どうしを貼り合わせて構成されたデータ記録媒体の、前記記録層に各々記録することを特徴としている。
【００２８】
また前記複数の識別情報を、２つの基板の各一方の面に各々設けられた記録層のうち、一方の基板の記録層と他方の基板とを貼り合わせて構成されたデータ記録媒体の、前記記録層に各々記録することを特徴としている。
【００２９】
また前記複数の識別情報を、光ディスクの記録層に記録することを特徴としている。
【００３０】
また、本発明のデータ記録方法は、データ記録媒体にデジタルデータを記録するデータ記録方法において、異なる複数の用途で使用されるデジタルデータに各々関連する複数の識別情報を、データ記録媒体の製造時に記録することを特徴としている。
【００３１】
また前記複数の識別情報毎に、前記デジタルデータの再生可能領域を限定して記録することを特徴としている。
【００３２】
また前記複数の識別情報のうち、少なくとも１つの識別情報を暗号化することを特徴としている。
【００３３】
また前記複数の識別情報を連続して記録することを特徴としている。
【００３４】
また前記複数の識別情報を非連続で記録することを特徴としている。
【００３５】
また前記複数の識別情報を、複数のデータ記録媒体を貼り合わせる前に、該複数のデータ記録媒体に各々記録することを特徴としている。
【００３６】
また前記複数の識別情報を、複数のデータ記録媒体を貼り合わせた後に、該複数のデータ記録媒体に各々記録することを特徴としている。
【００３７】
また、本発明のデータ再生方法は、第１の用途で使用されるデジタルデータおよびこれに関連する第１の識別情報と、暗号化され、第２の用途で使用されるデジタルデータおよびこれに関連する第２の識別情報とが記録された記録媒体を再生するデータ再生方法であって、前記識別情報が記録されているか否かを判別し、前記識別情報が記録されているときは該識別情報が第１の識別情報であるか第２の識別情報であるかを判別し、第１の識別情報であると判別したときは、第１の識別情報に関連する前記デジタルデータを再生し、第２の識別情報であると判別したときは、第２の識別情報に関連する前記デジタルデータを、外部から取得した前記デジタルデータの暗号を解く鍵に関するデータに基づいて復号化して再生することを特徴としている。
【００３８】
また、本発明のデータ伝送装置は、第１の用途で使用されるデジタルデータおよびこれに関連する第１の識別情報と、暗号化され、第２の用途で使用されるデジタルデータおよびこれに関連する第２の識別情報とが記録された記録媒体を再生する端末部と、前記端末部と通信回線を介して接続され、前記記録媒体を管理するサーバ部とを備え、前記サーバ部は、前記端末部から前記第１の識別情報が送信されたときにこれを識別し、該第１の識別情報が当該サーバ部が管理する識別情報であると識別されたときは、前記第２の識別情報に関連するデジタルデータを復号化するための手続きを許可することを特徴としている。
【００３９】
また前記サーバ部は、前記端末部から前記第２の識別情報に関連するデジタルデータの復号化要求があったとき、前記端末部に課金処理を促すことを特徴としている。
【００４０】
また前記サーバ部は、前記端末部によって課金処理が行われたとき、前記第２の識別情報に関連するデジタルデータの暗号を解く鍵に関連するデータを前記端末部に送信することを特徴としている。
【００４１】
また前記サーバ部は、前記第１の識別情報が当該サーバ部が管理する識別情報であると識別したときに、前記端末部に対して所定のサービスを提供することを特徴としている。
【００４２】
また前記サーバ部は、前記端末部によって課金処理が行われたとき、前記端末部に対して所定のサービスを提供することを特徴としている。
【００４３】
また前記サーバ部は、前記通信回線を介して第１の識別情報が入力された回数を集計することを特徴としている。
【００４４】
また前記サーバ部は、前記端末部によって課金処理が行われた回数を集計することを特徴としている。
【発明の効果】
【００４５】
（１）従来は、複数のコンテンツに基づくデータ、例えば複数の著作物データを同一データ記録媒体に記録したものは存在したが、例えば無料試聴できるデータと、対価支払い後に使用できるデータのように、異なる複数の用途で使われるデータを同一データ記録媒体に記録したものはなく、それら複数の用途に沿った使用を同一のデータ記録媒体で行うことはできなかった。
【００４６】
しかし本発明によれば、前記異なる用途で使われる複数のデータとそれらデータに対応した識別情報とを同一のデータ記録媒体に記録することが可能となり、前記異なる用途に沿ったデータ使用を同一のデータ記録媒体により行うことができる。
【００４７】
すなわち本発明は、１つのデータ記録媒体に、複数の用途毎のデータとそれらに各々対応した識別情報が記録されているので、用途に合わせて複数のデータ記録媒体を入手する必要がなくなり、例えばプロモーション用音楽ＣＤを試聴した後にその場で当該データ記録媒体によって正規版ＣＤを入手することができる。
【００４８】
このため従来のように、例えばプロモーション用音楽ＣＤを試聴して気に入った場合に、正規版を手に入れるために店舗に買いに行ったり、電話注文したり、ネットで注文する必要はなくなり、利便性が極めて高い。
（２）データ記録媒体の利用価値が高められるとともに、データ記録媒体の利用形態が拡大する。すなわち例えば、従来のような例えばプロモーション用データ記録媒体はプロモーション用にしか利用することができず、正規版データ記録媒体を購入した場合データ記録媒体そのものが２個に増加してしまう。
【００４９】
しかし本発明によれば、同一データ記録媒体に、例えばプロモーション用データおよび正規版用データと、それらに対応する識別情報を記録しているので、その識別情報を用いて正規版用データを有効にするだけで正規版用データを購入することができ、データ記録媒体の個数は増えない。
（３）また請求項３３、３４に記載の発明によれば、データ記録媒体に書き込まれた識別情報に基づいて、各種のサービス、例えば著作物データの演奏者のコンサートチケットを提供する又はそのチケットを抽選により提供することができ、これによってデータ記録媒体の付加価値が増し、ユーザーの購買意欲をかき立てたり、サーバ側の例えばレコード会社（コンテンツ製作／供給会社）に対する信頼度、人気度が高まるといった経済効果が得られる。
（４）また請求項３５、３６に記載の発明によれば、サーバ側にとって、配布した例えばプロモーション用ディスクに対して、どの位の割合で正規版ディスクが購入されたか等の情報を、データ記録媒体に書き込まれている識別情報によって確実に入手することができ、将来のマーケティングに役立てることができる。
（５）また複数の用途で使用されるデータとそれに各々関連する複数の識別情報とは、データ記録媒体の製造時に同一のデータ記録媒体に容易に記録されるので、当該媒体を大量に製造し配布することができる。
【００５０】
これによってサーバ側の例えばレコード会社にとって膨大な市場を獲得する可能性が高まり、ビジネスチャンスが拡大する。
（６）またサーバ側の例えばレコード会社にとって、商品としてのデータ記録媒体を大量に自社在庫として保有する必要がなくなるので、該媒体を保有しておくスペースが無しとなるか又は著しく減少する。さらに従来のように在庫をかかえて流通をコントロールすることによるリスクがなくなる。
【実施例】
【００５１】
以下図面を参照しながら本発明の一実施例を詳細に説明するが、本発明がこの実施例に限定されるものでないことは言うまでもない。
【００５２】
図１は本発明に係るディスク状記録媒体１０の記録領域を示しており、１は、このディスク状記録媒体１０の内周側に設けられたリードイン領域、２はリードイン領域１の外周側に設けられ、楽曲や映像等のコンテンツに基づく著作物データ等の主たるデータが記録されるプログラムエリア（データ記録領域）、３はプログラムエリア２の外周側に設けられたリードアウト領域である。
【００５３】
前記プログラムエリア２には、前記著作物データ等の主たるデジタルデータの用途別に付与される複数の識別情報（ＵＩＤ）が記録されるＵＩＤエリア４が設けられている。本発明の識別情報は、プログラムエリア２内のＵＩＤエリア４に、例えばＰＩＤ方式で書き込まれるか、又はリードイン領域１内にフォーマットを決めて書き込まれる。
【００５４】
前記著作物データ等の主たるデジタルデータ（本発明のデジタルデータ）は、従来のＣＤ（コンパクトディスク）やＤＶＤ（Ｄｉｇｉｔａｌ Ｖｅｒｓａｔｉｌｅ Ｄｉｓｃ）で用いられている記録フォーマットによって記録され、本発明の識別情報（ＵＩＤ）は例えば前記デジタルデータの記録フォーマットとは異なる記録フォーマットに基づいて記録される。
【００５５】
ＣＤやＤＶＤの記録フォーマットに基づいてデータの記録が行われる読み取り専用の光ディスクは、記録すべきデジタルデータに対応する凹凸パターンを転写するスタンパを用いて同種のものが大量に生産される。そこで、本発明の識別情報（ＵＩＤ）は、記録媒体の製造工程中に記録媒体毎に反射膜に直接書き込むことによって記録される。この識別情報（ＵＩＤ）を記録したディスク状記録媒体の製造方法については後述する。
【００５６】
前記主たるデジタルデータは用途別の複数のデータであり、例えばプロモーション用の楽曲や映像等のコンテンツに基づく著作物データと本編用（正規版）の楽曲や映像等のコンテンツに基づく著作物データが記録される。
【００５７】
そして本発明の識別情報（ＵＩＤ）はこれら用途別の複数のデータに各々付与されるものであり、その記録フォーマットの一例を図２に示す。図２（ａ）において、先頭の例えば８ビットがメディア識別子として働くＵＩＤヘッダであり、例えば図２（ｂ）のように固定コードと、プロモーション用か本編用かの識別コードと、メディアの種類を示すコードとで構成されている。
【００５８】
このＵＩＤヘッダに続く領域には、当該メディア中にＵＩＤナンバーがいくつあるかを示すＵＩＤナンバー総数（例えば８ビット）の情報が配置されている。このＵＩＤナンバー総数に続く領域には、このＵＩＤが何番目のＵＩＤであるかを示すＵＩＤナンバー（例えば８ビット）の情報が配置されている。
【００５９】
このＵＩＤナンバーに続く領域には、例えばレコード会社等のメーカーコード（例えば１６ビット）および製造所コード（例えば１６ビット）が配置されている。この製造所コードに続く領域には例えば４８ビットのシリアルナンバーの情報が配置されている。
【００６０】
このシリアルナンバーは、インターネット等の通信回線を介して、後述する、当該メディアを管理するサーバ側（当該著作物データを供給する領布元）へ接続するための連絡先であるＵＲＬ（Ｕｎｉｖｅｒｓａｌ  Ｒｅｓｏｕｒｃｅ  Ｌｏｃａｔｅｒ）又は携帯電話に接続するための情報等で構成されている。
【００６１】
このシリアルナンバーに続く領域には例えば２４ビットのエラー訂正符号（ＥＣＣ）が配置され、ＵＩＤ記録フォーマットは全体として例えば１２８ビットで構成されている。
【００６２】
前記エラー訂正符号（ＥＣＣ）は巡回冗長符号（ＣＲＣ）を含み、当該ＵＩＤデータが存在するか否かや、データが改ざんされていないか等をチェックし認証するためのものである。
【００６３】
前記ＵＩＤヘッダ、ＵＩＤナンバー総数、ＵＩＤナンバーはＵＩＤデータの有無判別情報として用いられる。前記ＵＩＤナンバー総数、ＵＩＤナンバー、メーカーコード、製造所コード、シリアルナンバーはデータ変換により暗号化されて記録される暗号化エリアとして構成される。
【００６４】
この暗号化の方式は、例えばＲＳＡ（Ｒｉｖｅｓｔ，Ｓｈａｍｉｒ ａｎｄ Ａｄｌｅｍａｎ）方式の公開鍵方式や、ＤＥＳ（Ｄａｔａ Ｅｎｃｒｙｐｔｉｏｎ
Ｓｔａｎｄａｒｄ）方式やＡＥＳ（Ａｄｖａｎｃｅｄ Ｅｎｃｒｙｐｔｉｏｎ Ｓｔａｎｄａｒｄ）方式等の共通鍵方式により実施される。
【００６５】
上記図２（ａ），（ｂ）に示すＵＩＤデータのフォーマットは一例を示しているに過ぎず、各領域のビット数や配置等は任意に設定でき、各領域の種類も増減があってもよい。
【００６６】
前記暗号化されたＵＩＤデータは、後述するサーバ側から暗号を解く鍵に関するデータを入手し復号化することによって復号され、前記ＵＩＤに対応した前記著作物データ（主たるデジタルデータ）の再生が可能となる。
【００６７】
上記のように構成されたＵＩＤデジタルデータは図２（ｃ）のように同じ位置に複数個を連続して記録しても良く、また図２（ｄ）のように複数個を非連続に記録しても良い。
【００６８】
また前記複数のＵＩＤデータは、ディスク状記録媒体のセッション毎にコンテンツがある場合は図３（ａ）のようにセッション毎に分割した領域に各々記録しても良く、図３（ｂ）に示すＣＤとＳＡＣＤを貼り合わせた記録媒体や図３（ｃ）に示すＣＤとＤＶＤを貼り合わせた記録媒体の場合には、２層もしくは両面に各々ＵＩＤを記録する。
【００６９】
すなわち基板の一方の面に複数の記録層が積層されているデータ記録媒体、２つの基板の各一方の面に設けられた記録層どうしを貼り合わせて構成されているデータ記録媒体、２つの基板の各一方の面に各々設けられた記録層のうち、一方の基板の記録層と他方の基板とを貼り合わせて構成されているデータ記録媒体の、各記録層にＵＩＤを記録するものである。
【００７０】
次に、図１に示すように、前記著作物データ（主たるデジタルデータ）とそれに対応するＵＩＤデータが記録されたディスク状記録媒体１０を再生するための再生装置を説明する。
【００７１】
この再生装置は、例えば図４に示すように、この装置に装着され、スピンドルモータ１６によって回転駆動されるディスク状記録媒体１０のデータが記録された領域を走査し、この記録媒体１０に記録されたデータの読み出しを行う光学ヘッド１１を備える。
【００７２】
光学ヘッド１１によって読み取られたディスク状記録媒体１０に記録されたデータは、ＲＦアンプ１２に供給される。ＲＦアンプ１２から出力される再生ＲＦ信号は、ＥＦＭ（８−１４変調）復調回路１３に送られてＥＦＭ復調された後、リードイン読出し回路１４に送られる。ＲＦアンプ１２から出力されるトラッキングエラー信号、フォオーカスエラー信号等のサーボ用の各種信号や、ＥＦＭ復調回路１３からの再生クロック信号等はサーボ回路１５に供給され、サーボ回路１５からトラッキングサーボ信号、フォーカスサーボ信号等の各種サーボ信号が出力される。
【００７３】
サーボ回路１５から出力されるスピンドルサーボ信号は、ディスク回転駆動用のスピンドルモータ１６に供給され、トラッキングサーボ信号及びフォーカスサーボ信号は光学ヘッド１１のアクチュエータに供給されトラッキングサーボ及びフォーカスサーボが行われ、スレッドサーボ信号が光学ヘッド１１をディスク状記録媒体の径方向に移動させるスレッド機構１７のスレッド駆動モータに供給される。このサーボ回路１５とＣＰＵ（プロセッサユニット）１８との間では、例えばバスを介して制御コマンドや制御データ等の送受が行われる。
【００７４】
リードイン読出し回路１４は、ディスク状記録媒体１０のリードイン領域３から光学ヘッド１１によって読み出されたデータを有無判別回路２１に供給する。有無判別回路２１は、リードイン領域３から読み出されたデータ中に前記ＵＩＤデータの有無を示す判別情報（図２のＵＩＤヘッダ、ＵＩＤナンバー総数、ＵＩＤナンバー）が含まれるか否かの判別を行う。
【００７５】
有無判別回路２１が、判別情報無しと判別したときには、図４に示す再生装置は、この再生装置に装着されたディスク状記録媒体がＣＤ若しくはＤＶＤフォ
ーマットに基づく記録フォーマットに従って記録された、前記著作物データ（主たるデジタルデータ）のみが記録されたディスク状記録媒体であると識別して装着されたディスク状記録媒体のデータの再生を行い、再生したデータを出力端子２２より出力する。
【００７６】
上述した再生装置は、有無判別回路２１で判別情報有りと判別されたときには、制御信号をリードイン読出し回路１４に供給し、再度光学ヘッド１１をディスク状記録媒体１０の最内周側に移動させてリードイン領域３に記録された情報の読み出しを行わせるとともに再生モードを選択するスイッチ２３をオンとして、リードイン読出し回路１４から供給されるＵＩＤデータを含む信号をＵＩＤ識別
回路２４に供給する。
【００７７】
この例では、ＵＩＤデータがリードイン領域３に記録されている場合を想定しているが、図１に示すディスク状記録媒体１０のように、プログラムエリア２にＵＩＤデータが記録されている場合には、このプログラムエリア２に記録された情報を読み出してＵＩＤ識別回路２４に送る。
【００７８】
ＵＩＤ識別回路２４は、ＵＩＤデータが正常に識別されたか否かを判別し、読み出されたＵＩＤデータが正常（ＯＫ）に認識され且つ暗号化を解く鍵により復号化されたときには、ＵＩＤデータに対応した著作物データ（主たるデジタルデータ）の再生を行いその再生データを第１の出力端子２５より出力する。ＵＩＤデータが正常に識別できなかった（ＮＧ）ときには、デジタルデータの再生禁止信号を第２の出力端子２６より出力する。
【００７９】
次に上記のように本発明が適用されたデータ記録媒体の利用形態の一例を説明する。まず用途別にＵＩＤが複数設けられ、プロモーション用データと本編用データ（正規版データ）がそれぞれ異なった複数のＵＩＤで管理されている本発明のデータ記録媒体をプロモーション用として配布する。
【００８０】
前記プロモーション用データは無料で再生できるようにしておき、ユーザーが試して本編用データを購入したいと思えば、前記データ記録媒体の配布元であるレコード会社が所有し或いは管理するサーバにアクセスし課金の手続きを行うことができる。
【００８１】
そして課金手続きを行うことにより、本編を管理しているＵＩＤが有効となり、そのＵＩＤをサーバで認証した後、フルデータが再生できるようになる。すなわち課金・認証は、例えば図５のフローチャートのステップＳ１〜ステップＳ５のように行われる。
【００８２】
図５において、ステップＳ１ではＵＩＤ１のプロモーション用に限定されたデータを再生し、ステップＳ２ではサーバへアクセスし、本編用データを購入するか否かをステップＳ３で判定し、その判定結果がＮＯであればステップＳ１に戻り、ＹＥＳの場合は課金処理後にＵＩＤｎデータが有効となり（ステップＳ４）、本編用データの再生が可能となる（ステップＳ５）。
【００８３】
音楽ＣＤの例をあげると、プロモーション用ＵＩＤでは曲の一部だけしか聴くことができないが、課金後、新しいＵＩＤが認証されることにより、曲を全て聴くことができるようにする、といったサービスが考えられる。また課金の前後で、音質を変えたり、聴ける曲数が変わったりするというサービスにしても良い。
【００８４】
またＤＶＤの場合、例えば課金前はモノクロ映像でしか見えないが課金後はカラー映像で見ることができるようにする。
【００８５】
次に、図６に示すようなシステムを用いて、本発明が適用されたディスク状
記録媒体１０に記録された各種のデータ及び情報を、通信機能付きパーソナルコンピュータ（図示省略）に接続されたＵＩＤ再生光ディスクプレーヤ３１を用いて読み取り、通信回線網やインターネット３２を介して、この記録媒体の頒布元であるレコード会社が所有しあるいは管理するサーバ３３（ＵＩＤ認証サーバ、コンテンツサーバ）と通信を行う状態を図７を参照して説明する。
【００８６】
図７に示すフローチャートにおいて、コーナ部を円弧とした矩形状のブロックは、無料配布によりディスク状記録媒体１０を入手したユーザ側での処理を示し、コーナ部を直角とした矩形状のブロックは、レコード会社等のサーバ側での処理をそれぞれ示している。
【００８７】
また本実施例では、ＵＩＤ０がプロモーション用コンテンツのＵＩＤ、ＵＩＤ１〜Ｎが本編用（正規版）コンテンツのＵＩＤを各々示している。
【００８８】
尚図７は、前記各コンテンツのデジタルデータとそれらデータ毎に付加されたＵＩＤがともに暗号化され、ＵＲＬの示すホームページのサーバ３３側から暗号化を解くための鍵を入手する場合の具体例を示すものである。
【００８９】
図７において、ユーザは、ステップＳ１１で本発明が適用されたディスク状記録媒体１０をＵＩＤ再生光ディスクプレーヤ３１に装着し、ステップＳ１２でディスク状記録媒体１０に記録されたＵＩＤ内の、サーバのホームページのネットワークアドレスであるＵＲＬに関するデータを読み出す。
【００９０】
次にステップＳ１３でホームページのアクセスが試みられ、サーバ３３側のステップＳ３１でホームページがアクセスされる。サーバ３３側では、次のステップＳ３２でユーザ名を要求し、これに応答して、ユーザ側ではステップＳ１４でユーザ名を入力する。
【００９１】
入力されたユーザ名はサーバ３３側に送られ、ステップＳ３３でユーザ名がサーバに記憶（登録）され、次のステップＳ３４でディスク状記録媒体１０に記録されたＵＩＤデータの送信要求が出される。
【００９２】
ユーザ側では、ステップＳ１５でＵＩＤ０データをディスク状記録媒体１０から読み出しサーバ３３に送信する。サーバ３３側では、ステップＳ３５でユーザ側から送信されたＵＩＤデータを認証して記憶し、ステップＳ３６で認証がＯＫか否かを判別する。認証結果がＮＯの場合にサーバ３３は、ユーザ側に、ステップＳ１６に示すように、ホームページへのアクセスを禁止してエラーをユーザのパーソナルコンピュータのディスプレイに表示させるとともに、サーバ側ではステップＳ３７で通信履歴ＴＲ（トランザクション）を記録して通信を終了する。
【００９３】
ステップＳ３６でＵＩＤ０データの認証が得られたと判別されたときには、ステップＳ３８でＵＩＤ０の暗号解読鍵を生成してユーザ側に送信するとともに、ＵＩＤに関する各種サービスをユーザ側に提示する。
【００９４】
このＵＩＤに関するサービスは、例えば著作物データの演奏家のコンサートチケットの抽選券か割引券の配布、又は演奏家のネットライブ番組の無料試聴等である。尚前記ステップＳ３８ではＵＩＤ０データ、すなわちプロモーション用データの利用回数を知るためにその回数をカウントしている。
【００９５】
次にユーザ側ではステップＳ１７において、前記解読鍵によりＵＩＤのコンテンツをデコードして再生（ＵＩＤ１〜ＵＩＤＮで管理されている本編用コンテンツを紹介するプロモーション用ＣＤ等を聴く）するとともに、前記提示された各種サービスのうちいずれかを選択してサーバ側へ送信する。
【００９６】
次にユーザはステップＳ１８において、本編用（正規版）コンテンツを購入するか否かを判別し、購入しない場合はステップＳ１３にもどる。購入する場合はステップＳ１９において本編用（正規版）コンテンツを選択し、そのコンテンツのＵＩＤｉをサーバ側へ送信する。
【００９７】
サーバ側ではステップＳ３９において、前記選択されたサービスを認識し、該サービスを提供する。そしてユーザ側から送信されたＵＩＤｉをステップＳ４０において認識し、ステップＳ４１でＮＯと判別されたらサーバ３３は、ユーザ側にステップＳ２０に示すようにホームページへのアクセスを禁止してエラーをユーザのパーソナルコンピュータのディスプレイに表示させるとともに、サーバ３３側ではステップＳ４２で通信履歴ＴＲ（トランザクション）を記録して通信を終了する。
【００９８】
ステップＳ４１で認証ＯＫと判別されたときには、サーバ３３はステップＳ４３に進み、例えば暗号解読のための課金要求を行うとともに、例えば選択されたＵＩＤｉに関する各種サービス（著作物データの演奏家のコンサートチケット、映画館招待券等の配布）をユーザに提示する。そしてユーザはステップＳ２１で課金を了承するか否かを選択する。
【００９９】
このステップＳ２１でユーザが課金を否認した場合には、ホームページのサーバ３３に対して課金を否認する旨を通知し、サーバ３３側はステップＳ４４で通信履歴ＴＲを記録して通信を終了するとともに、ユーザ側ではステップＳ１３に戻る。
【０１００】
ステップＳ２１で、ユーザが課金ＯＫを選択した場合にはステップＳ２２において、前記ステップＳ４３で提示されたサービスを選択する。次にサーバ３３側ではステップＳ４５で課金処理を行い、ステップＳ４６で暗号解読鍵データＫIDを生成してユーザのパーソナルコンピュータ側に送信するとともに、前記選択されたサービスを提供した後、ステップＳ４７で通信履歴ＴＲを記録して通信を終了する。
【０１０１】
ここで、暗号解読鍵データＫＩＤについては、暗号化された著作物データに相
当するデジタルデータを復号するための鍵データＫを、ＵＩＤデータに含まれ
るディスク状記録媒体１０のシリアル番号等でエンコードあるいは暗号化して得られるものとし、暗号解読鍵データＫＩＤが盗まれたとしても、ＵＩＤデータが
ないと使用できないようにすることが好ましい。
【０１０２】
次に、ユーザのパーソナルコンピュータ側では、ステップＳ２３で、暗号解読鍵データＫＩＤをＵＩＤデータでデコードあるいは暗号解読して、データ復号用の鍵データＫを取得する。次のステップＳ２４で、鍵データＫを用いて、暗号化された著作物データに対応するデータをデコードあるいは暗号解読してステップＳ２５でこのデジタルデータを再生する。
【０１０３】
以上のように本実施例によれば、ＵＩＤデータの利用回数集計やＵＩＤデータの認証および課金ＯＫか否かの判別の際の通信履歴（ＴＲ）記録を行っているので、サーバ３３側、すなわち例えばレコード会社にとって、プロモーション用コンテンツと本編用（正規版）コンテンツの用途別の各データの利用状況を確実に把握することができる。
【０１０４】
例えば図７のステップＳ３８では、ＵＩＤ０のデータすなわちプロモーション用コンテンツのデータ利用回数がわかり、ステップＳ４４では前記プロモーション用コンテンツデータは利用されたが、本編用（正規版）コンテンツデータの購入には至らなかった回数がわかり、ステップＳ４７では本編用（正規版）コンテンツデータが購入された回数がわかる。
【０１０５】
また図７のステップＳ３４でサーバ３３側がユーザ側に対してＵＩＤ送信要求を行った後は、ＵＩＤデータを１個ずつ送信するのではなく、複数、例えばすべてのＵＩＤデータを送信し、それらの認証を行った後ユーザ側で最初から本編用（正規版）コンテンツデータを選択できるように構成しても良い。
【０１０６】
すなわちユーザ側のステップＳ１５の処理をすべてのＵＩＤ０〜ＵＩＤＮを送信するものとし、サーバ３３側のステップＳ３５〜Ｓ３９の処理を、前記ＵＩＤ０〜ＵＩＤＮを各々認証するものとし、ユーザ側のステップＳ１６〜Ｓ１８の処理を購入するか否かを判別する処理としても良い。
【０１０７】
またプロモーション用コンテンツデータについては、暗号化せずにＵＩＤ０の認証を受けなくてもユーザが最初から再生できるように構成しても良い。
【０１０８】
上述したようなＵＩＤデータが付加されたディスクを製造する手順を図８を参照して説明する。図８において、レジスト塗布工程４１ではガラス原盤にフォトレジストを塗布し、次のカッティング工程４２にて、記録すべきデータに応じた凹凸のピットパターンをカッティングし原盤を作製する。
【０１０９】
ピットパターンがレーザカッティングされた原盤は、現像・定着工程４３で現像処理されて定着処理された後、金属原盤作成工程４４にて表面に電解メッキが施されてマザー盤である金属原盤が作成される。次に、金属原盤をもとにしてスタンパ形成工程４５によりスタンパを製造し、このスタンパを用いた基板形成工程４６を経てポリカーボネート（ＰＣ）やアクリル等の透明樹脂のディスク基板が製造される。
【０１１０】
ここで製造されたディスク基板には上述したカッティング工程で原盤に形成されたピットパターンが転写される。ディスク基板のピットパターンが形成された面側には、次の反射膜形成工程４７によりスパッタリングにより反射膜が形成される。
【０１１１】
本発明に係るＵＩＤデータは、ディスク状記録媒体１０に形成される反射膜を利用して記録される。
【０１１２】
ここで、本発明に係るディスク状記録媒体に用いられる反射膜は、後工程でＵＩＤデータの記録を可能とするため、データの記録を可能とする材料を用いて形成される。また、反射膜は、ここに記録されたＵＩＤデータを光学的に読み取りを可能とする材料で形成される必要がある。
【０１１３】
そこで、本発明に係るディスク状記録媒体に形成される反射膜は、ＣＤやＤＶＤの反射膜と同程度の反射率若しくは従来用いられている光学ヘッドで読み出し可能な反射率を有しながら、レーザ光を用いた熱記録によって読み出し用のレーザ光等の光ビームの反射率が変化されるような材料により形成される。
【０１１４】
すなわち、反射膜は、熱記録によって読み出し用の光ビームに対する反射率が概ね０．５％以上１０％以下の範囲で変化する特性を示す金属膜によって形成される。具体的には、Ａｌを主成分とする金属膜であるＡｌ100−xＸxのＡｌ合金膜、あるいはＡｇを主成分とする金属膜であるＡｇ100-xＸxのＡｇ合金膜によ
って構成される。
【０１１５】
ディスク基板に形成された反射膜上には、次の保護膜塗布工程４８で、紫外線硬化型樹脂をスピンコートにより塗布し、紫外線を照射することによって保護膜が塗布形成される。その後、ＵＩＤ記録工程４９において、反射膜にレーザ光を当てて反射率に変調をかける熱記録によってＵＩＤが記録される。
【０１１６】
次に２層ＤＶＤやＳＡＣＤ等のように２つのディスク状記録媒体を貼り合わせて成るデータ記録媒体に、本発明のＵＩＤを記録する装置について図９とともに説明する。
【０１１７】
図９において、５１ａ，５１ｂは例えば前記図８で述べたレジスト塗布工程４１、カッティング工程４２、現像・定着工程４３、金属原盤作成工程４４、スタンパ工程４５を各々実行して基板を形成する第１、第２の基板形成装置である。
【０１１８】
第１基板形成装置５１ａで形成された第１の基板は、例えば図８で述べたスパッタリングによる反射膜形成装置５２ａによって反射膜が形成された後、例えば図８で述べたレーザ光照射による熱記録を行うＵＩＤ１記録機５３ａによってＵＩＤ１が記録される。
【０１１９】
また第２基板形成装置５１ｂで形成された第２の基板は、前記同様に例えば図８で述べたスパッタリングによる反射膜形成装置５２ｂによって反射膜が形成された後、例えば図８で述べたレーザ光照射による熱記録を行うＵＩＤ２記録機５３ｂによってＵＩＤ２が記録される。
【０１２０】
次にＵＩＤ１が記録された第１の基板とＵＩＤ２が記録された第２の基板は、接着材塗布装置５４によって各々接着材が塗布され、貼り合わせ装置５５によって貼り合わされた後、紫外線照射装置（ＵＶ硬化装置）５６によって紫外線が照射されて接着材が硬化され、貼り合わせディスク１００が完成される。
【０１２１】
また前記のように反射膜が形成された２つの基板を貼り合わせる前にＵＩＤ１とＵＩＤ２を並列的に記録するに限らず、図１０に示すように２つの基板を貼り合わせた後の最終段階でＵＩＤ１とＵＩＤ２を２つの基板に各々記録するように構成しても良い。図１０において図９と同一部分は同一符号をもって示している。
【０１２２】
次に本発明のＵＩＤを、２つの基板の各一方の面に各々設けられた記録層のうち、一方の記録層と他方の基板とを貼り合わせて構成されるデータ記録媒体に記録する具体例を説明する。
【０１２３】
図１１はＳＡＣＤタイプの光学記録媒体６０の一例を示し、第１の基板６１の一方の面には、例えばＵＩＤ１が記録された反射膜６２が形成され、該反射膜６２上には保護膜６３が形成されている。
【０１２４】
第１の基板６１の他方の面には防湿膜６４が形成されている。第２の基板６５の一方の面には、例えばＵＩＤ２が記録された半透明反射膜６６が形成され、基板６５の他方の面には防湿膜６７が形成されている。前記防湿膜６４と半透明反射膜６６は接着層６８によって接着されている。
【０１２５】
次に図１１の光学記録媒体６０の製造工程を図１２とともに述べる。まず第１の基板の成形工程７１において、光透過性樹脂の射出成形によって第１の基板を成形する。反射膜形成工程７２では、第１の基板の上に反射膜を形成する。
【０１２６】
ＵＩＤ１記録工程７３では、例えば図８で述べたレーザ光照射による熱記録を行ってＵＩＤ１を記録する。基板反転工程７４では、一方の面に反射膜を形成した第１の基板を、スパッタリング装置内で反転する。
【０１２７】
防湿膜形成工程７５では、第１の基板の他方の面に防湿膜を形成する。第２の基板成形工程７６では、第１の基板の成形工程７１と同様に、射出成形により、第２の基板を成形する。半透明反射膜形成工程７７では、第２の基板に半透明反射膜を形成する。
【０１２８】
ＵＩＤ２記録工程７８では、例えば図８で述べたレーザ光照射による熱記録を行ってＵＩＤ２を記録する。基板反転工程７９では、一方の面に反射膜を形成した第２の基板を、スパッタリング装置内で反転する。
【０１２９】
防湿膜形成工程８０では、第２の基板の他方の面に防湿膜を形成する。接着工程８１では、第１の基板と第２の基板を接着する。保護膜形成工程８２では、第１の基板の反射膜の上に保護膜を形成する。これにより図１１の光学記録媒体６０が完成する。
【０１３０】
尚前記各基板の反射膜に記録されるＵＩＤ１、ＵＩＤ２は各々１個に限らず複数個であっても良い。
【図面の簡単な説明】
【０１３１】
【図１】本発明が適用されたディスク状記録媒体の概略構成図。
【図２】本発明のディスク状記録媒体に記録されるＵＩＤデータの記録フォーマットの一例を示すフォーマット構成図。
【図３】本発明のディスク状記録媒体に記録されるＵＩＤの記録形態を示す説明図。
【図４】本発明が適用されたディスク状記録媒体の再生に用いられる再生装置の概略構成を示すブロック図。
【図５】本発明の一実施例における課金・認証の手順を示すフローチャート。
【図６】本発明が適用されたディスク状記録媒体を利用するためのシステムの一例を示す構成図。
【図７】本発明が適用されたディスク状記録媒体に記録されたデータの通信を行う手順の一例を示すフローチャート。
【図８】本発明が適用されたディスク状記録媒体を製造するための手順の一例を示す説明図。
【図９】貼り合わせディスクに本発明を適用してＵＩＤを記録する装置構成の一例を示すブロック図。
【図１０】貼り合わせディスクに本発明を適用してＵＩＤを記録する装置構成の他の例を示すブロック図。
【図１１】本発明が適用される貼り合わせディスクの構成の一例を示す断面図。
【図１２】図１１のディスクの製造工程を示すフローチャート。
【符号の説明】
【０１３２】
１…リードイン領域、２…プログラムエリア、３…リードアウト領域、４…ＵＩＤエリア、１０…ディスク状記録媒体、３１…ＵＩＤ再生光ディスクプレーヤ、３２…インターネット、３３…サーバ、５１ａ…第１基板形成装置、５１ｂ…第２基板形成装置、５２ａ，５２ｂ…反射膜形成装置、５３ａ…ＵＩＤ１記録機、５３ｂ…ＵＩＤ２記録機、５４…接着材塗布装置、５５…貼り合わせ装置、５６…紫外線照射装置。
【図１】
2005085336.tif 000003
【図２】
2005085336.tif 000004
【図３】
2005085336.tif 000005
【図４】
2005085336.tif 000006
【図５】
2005085336.tif 000007
【図６】
2005085336.tif 000008
【図７】
2005085336.tif 000009
【図８】
2005085336.tif 000010
【図９】
2005085336.tif 000011
【図１０】
2005085336.tif 000012
【図１１】
2005085336.tif 000013
【図１２】
2005085336.tif 000014